(57)【特許請求の範囲】
【請求項１】
外装板と該外装板を支える下地材に上から順に切り込むドリルねじ部と、前記下地材に螺合する固定ねじ部を先端部に備え、上端部には別部材を取り付けるための取り付け部を備えた外装板固定具であって、
前記固定ねじ部の上側隣接位置に、前記固定ねじ部より外周に突出して前記下地材に上から当接する当接部を備え、
該当接部より上方には、前記外装板を上から押さえつけるナットが螺合するねじ部を備え、
前記ねじ部の上に前記取り付け部を備え、
該取り付け部の上に前記取り付け部より小径の回転入力部を備え、
前記ねじ部が前記ナットの高さよりも長く形成され、
前記取り付け部が前記ねじ部と同径の棒状に形成されるとともに、これらねじ部と取り付け部には一連の雄ねじが形成され、
前記ドリルねじ部、前記固定ねじ部、前記ねじ部、前記取り付け部及び前記回転入力部を有する一本の棒部材と、該棒部材の前記固定ねじ部と前記ねじ部の間に巻き付けられる板部材で形成された
外装板固定具。
【請求項２】
前記固定ねじ部の上側隣接位置に、前記固定ねじ部より外周に突出して前記外装板に対して切り込む穿孔刃が前記当接部と共に形成された
請求項１に記載の外装板固定具。
【請求項３】
前記棒部材における前記板部材を巻き付ける部位の上端部に、前記板部材の上端縁を受ける受け部が一体に形成された
請求項１または請求項２に記載の外装板固定具。
【請求項４】
請求項１から請求項３のうちいずれか一項に記載の外装板固定具を用いて前記外装板としての屋根板を前記下地材に固定し、前記取り付け部に前記別部材としての屋根上構造物を取り付けた
屋根構造。
【発明の詳細な説明】
【技術分野】
【０００１】
この発明は、たとえば波板などの外装板を固定する外装板固定具に関し、より詳しくは、外装板の上に屋根上構造物などの別部材を取り付け可能な外装板固定具に関する。
【背景技術】
【０００２】
波板の固定には下記特許文献１に開示されたような取付け具が用いられている。この取付け具はドリルねじと座金で構成される。ドリルねじは先端からドリル部、一対のリーマ、ねじ部、環状ストッパを順に有し、上端に六角頭部を備えている。座金は波板にそう形状の座金本体を有し、この座金本体の下にはシールパッキンが収められる。
【０００３】
この取付け具では、ドリルねじに座金とシールパッキンを保持した状態でドリルねじを波板の上に押し付けて回転し、波板を貫通したのち波板の下の構造材にねじ込んで固定する。このとき環状ストッパが構造材に当接し、座金とシールパッキンが波板を押さえる。
【０００４】
しかし、環状ストッパと六角頭部の間の距離は一定であるので、波板の寸法の違いや裏張り材の有無、波板の下に敷く天井板の有無などに応じて適切な長さのドリルねじを用意しなければならない。波板の厚みや高さにばらつきがあった場合にはそれに対応することもできない。
【０００５】
屋根板を固定するとともに屋根上構造物を取り付ける金具として、下記特許文献２に開示されている金具がある。この金具はボルト頭部状の回転力入力部を有した支持軸部より上に、屋根上構造物を取り付けるねじ棒状の取り付け部を有し、支持軸部より下にドリルねじ部を有する固定部を備えている。屋根板の固定と屋根上構造物の取り付けを簡単にしかも強固に行えるのでよい。しかしこの金具においても、環状ストッパに相当する支持軸部の下端の当接部と六角頭部に相当する回転力入力部の間の距離は一定である。
【先行技術文献】
【特許文献】
【０００６】
【特許文献１】実開平１−１５０２１２号公報
【特許文献２】特許第５２７１４３４号公報
【発明の概要】
【発明が解決しようとする課題】
【０００７】
そこでこの発明は、外装板等の寸法の違いやばらつきなどに柔軟に対応して強固な固定ができるようにすることを主な目的とする。
【課題を解決するための手段】
【０００８】
そのための手段は、外装板と該外装板を支える下地材に上から順に切り込むドリルねじ部と、前記下地材に螺合する固定ねじ部を先端部に備え、上端部には別部材を取り付けるための取り付け部を備えた外装板固定具であって、前記固定ねじ部の上側隣接位置に、前記固定ねじ部より外周に突出して前記下地材に上から当接する当接部を備え、該当接部より上方には、前記外装板を上から押さえつけるナットが螺合するねじ部を備え、前記ねじ部の上に前記取り付け部を備え、該取り付け部の上に前記取り付け部より小径の回転入力部を備え、前記ねじ部が前記ナットの高さよりも長く形成され、前記取り付け部が前記ねじ部と同径の棒状に形成されるとともに、これらねじ部と取り付け部には一連の雄ねじが形成され、前記ドリルねじ部、前記固定ねじ部、前記ねじ部、前記取り付け部及び前記回転入力部を有する一本の棒部材と、該棒部材の前記固定ねじ部と前記ねじ部の間に巻き付けられる板部材で形成された外装板固定具である。
【０００９】
この構成では、取り付け部より上の回転入力部を回転してドリルねじ部を外装板と下地材に順に切り込み、固定ねじ部を下地材に螺合すると、外装板固定具が外装板を貫いて下地材に突き刺さった状態になる。このとき固定ねじ部の上の当接部が下地材の上面に当接して安定性を高める。この状態の外装板固定具のねじ部における外装板より上に出ている部分に、外装板を上から押さえつけるナットを螺合する。ねじ部はナットの高さよりも長いので、外装板の表面から下の高さの違いやばらつきを許容する。このあと、固定された外装板の上に外装板固定具の取り付け部に別部材を必要に応じて取り付ける。取り付け部は、ねじ部と同径の棒状であり、回転入力部は取り付け部より小径であるので、取り付け部に対する別部材の挿嵌を許容する。
【発明の効果】
【００１０】
この発明によれば、寸法の違いやばらつきなどに柔軟に対応して外装板や別部材の強固な固定ができる。
【図面の簡単な説明】
【００１１】
【図１】外装板固定具の斜視図。
【図２】屋根構造の断面図。
【図３】屋根構造の断面図。
【図４】外装板固定具と付属部品の正面図。
【図５】外装板固定具の分解状態の正面図。
【図６】屋根形成過程の断面図。
【図７】屋根形成過程の断面図。
【図８】屋根形成過程の断面図。
【図９】屋根形成過程の断面図。
【図１０】屋根形成過程の断面図。
【図１１】波板の裏面に裏張り材がある場合の屋根の断面図。
【図１２】波板の下に天井板がある場合の屋根の断面図。
【発明を実施するための形態】
【００１２】
この発明を実施するための一形態を以下、図面を用いて説明する。  
図１は外装板固定具１１の斜視図であり、この外装板固定具１１は、図２、図３に示したように外装板の一例としての波板１２をＣ型鋼などで構成される下地材１３の上に固定するとともに、波板１２より上に飛び出した部分に、波板１２の上に取り付けられる別部材１４、たとえばソーラーパネルなどの屋根上構造物を取り付ける。このような屋根構造のほか、外壁の形成に使用することもできる。波板１２の固定のため、外装板固定具１１には図４に示したように、波板１２を上から押さえつけるナット１５と座金１６とパッキン１７が付属される。
【００１３】
外装板固定具１１は、波板１２と波板１２を支える下地材１３に上から順に切り込むドリルねじ部２１と、下地材１３に螺合する固定ねじ部２２を先端部に備え、上端側部分には前述の別部材１４を取り付けるための取り付け部２３を備えている。
【００１４】
ドリルねじ部２１は公知の構成で、ドリルねじ部２１の上に固定ねじ部２２が連続して形成されている。固定ねじ部２２の上側隣接位置には、固定ねじ部２２より外周に突出して下地材１３に上から当接する当接部２４と波板１２に対して切り込む穿孔刃２５を備え、当接部２４より上方には前述のナット１５が螺合するねじ部２６を備え、ねじ部２６の上に前述の取り付け部２３を備え、取り付け部２３の上に、外装板固定具１１を回転するための回転入力部２７を備えている。
【００１５】
固定ねじ部２２は下地材１３に対する固定が強固に行えるように適宜長さに形成され、ねじ部２６はナット１５の高さよりも長く形成されている。ねじ部２６の長さは適宜設定できるが、波板１２の寸法の違いやばらつきを吸収できるように長めに設定するとよい。
【００１６】
取り付け部２３はねじ部２６と同径の棒状で、ねじ部２６と取り付け部２３には一連の雄ねじが形成されている。このため、取り付け部２３とねじ部２６の明確な区分は外観上無く、区分は流動的である。実際にはナット１５を螺合して波板１２を固定したときのナット１５より上の部分が取り付け部２３となる。取り付け部２３の長さは取り付ける別部材１４に合わせて適宜長さに設定される。
【００１７】
取り付け部２３と回転入力部２７の間には正面視円弧状にくびれるくびれ部２８が形成されている。回転入力部２７は回転治具（図示せず）と結合する適宜に形状に形成され、取り付け部２３より小径である。図示例の回転入力部２７は六角柱状である。
【００１８】
当接部２４と穿孔刃２５は、固定ねじ部２２より大径の大径部２９の下端に形成される。大径部２９を有する外装板固定具１１は削りだしによって形成することもできるが、この例では大径部２９部分は金属板を巻き付けて構成する。つまり外装板固定具１１は、図５に示したように棒状部材１１ａと、金属板からなる板部材１１ｂで形成されている。
【００１９】
棒状部材１１ａは下から順に、ドリルねじ部２１、固定ねじ部２２、ねじ部２６、取り付け部２３及び回転入力部２７を有する。板部材１１ｂは棒状部材１１ａの固定ねじ部２２とねじ部２６の間に巻き付けられる。
【００２０】
棒状部材１１ａにおける板部材１１ｂを巻き付ける部分、つまり板部材巻き付け部３０は、ねじ部２６までの距離を設定する機能も果たし、固定する波板１２
サイズに応じて、ねじ部２６に螺合したナット１５で波板１２を押さえつけられる適宜長さに設定される。
【００２１】
板部材巻き付け部３０の上端部には、板部材１１ｂの上端を受ける受け部３１が一体に形成されている。受け部３１は鍔状に張りだす円環部３２の下面に設けられる。円環部３２は上下にそれより小径の小径部３３，３４を設けて形成されている。
【００２２】
板部材巻き付け部３０の円環部３２の下の小径部３４より下側の部分は、巻き付けた板部材１１ｂの定着性を良くするための凹凸３０ａを有する。図示例では、固定ねじ部２２の雄ねじと一連の雄ねじで凹凸３０ａを形成している。雄ねじのほか、たとえば四角錐や円錐状の多数の突起であってもよい。
【００２３】
板部材１１ｂは略長方形で、前述のように下端の当接部２４からねじ部２６までの所望の距離に応じた縦の長さと、棒状部材１１ａに一周だけ巻き付けられる所定の横の長さに設定されている。板部材１１ｂの厚さは、固定ねじ部２２より外周に突出させる大径部２９の径に応じた厚さである。
【００２４】
この板部材１１ｂの下端には、複数の凸部３５と凹部３６が形成されている。凸部３５の先端が前述の当接部２４であり、凸部３５と凹部３６が前述の穿孔刃２５を構成する。このため凸部３５の先端には若干の勾配をつけている。
【００２５】
板部材１１ｂの両側、つまり巻き付けたときに互いに接する部分は、互いに嵌合する嵌合凸部３７と嵌合凹部３８を有する。これらは横Ｔ字形であり、巻き付け状態を保つ機能を果たす。
【００２６】
板部材１１ｂは板部材巻き付け部３０に巻き付けられると、上端部の全周が円環部３２の下の小径部３４に沿って、直線状をなす平らな上端縁３９を受け部３１に当てる。このため板部材１１ｂの外周面の上部には若干細くなる縮径部２９ａを有することになる。
【００２７】
付属されるパッキン１７は、図４に示したように厚い円板状に形成され、弾発性を有し、中央に貫通穴１７ａを有する。貫通穴１７ａの直径は前述の取り付け部と嵌合対応する大きさである。
【００２８】
以上のような構成の外装板固定具１１を用いて屋根構造を構成する場合はつぎのようする。
【００２９】
まず、図６に示したように、下地材１３の上に波板１２を置いて、波板１２における固定を行う位置に、先端のドリルねじ部２１を押し当てて、回転入力部２７に回転治具を嵌めて外装板固定具１１を回転する。すると外装板固定具１１は、図７に示したようにドリルねじ部２１と穿孔刃２５が波板１２に切り込んで、波板１２を貫通する。波板１２に穿孔する時、外装板固定具１１の大径部２９の上端部には縮径部２９ａを有し、それより上には小径部３３を有するので、切削屑は円滑に排除される。
【００３０】
ドリルねじ部２１は続いて下地材１３に切り込んで、固定ねじ部２２を下地材１３に螺合させる。固定ねじ部２２の下地材１３に対する螺合は、図８に示したように当接部２４が下地材１３に当たるまで行われ、螺合が完了すると、外装板固定具１１は固定ねじ部２２と当接部２４の協働によって安定性良く強固に固定される。
【００３１】
このあと、パッキン１７と座金１６をねじ部１６に挿嵌し、続いてナット１５をねじ部２６に螺合する。外装板固定具１１の上端には回転入力部２７が形成されているが、回転入力部２７はねじ部２６と同径の取り付け部２３より小径であるので、パッキン１７等の取り付けは容易に行える。
【００３２】
ナット１５を締めることによって座金１６を介してパッキン１７を圧縮し、波板１２にあいた穴１２ａを閉塞し、波板１２を押さえつける。これによって図９に示したように屋根が形成される。
【００３３】
つぎに、図１０に示したように別部材１４を取り付ける。別部材１４の取り付けは、取り付けの必要のある部分の外装板固定具１１における取り付け部２３を含むナット１５より上の部分に行う。つまり別部材１４に形成された貫通穴１４ａをナット１５より上の部分に挿嵌して、ナット４０を螺合する。このようにして、屋根上構造物を取り付けた屋根が形成される。
【００３４】
前述のように外装板固定具１１は固定ねじ部２２と当接部２４の協働によって安定性良く強固に固定されるので、波板１２の固定状態は堅固である。また固定作業は外装板固定具１１を押し付けて回転するだけであり簡単である。そのうえ止水は１個のパッキン１７で良好に行えるとともに、パッキン１７の弾発性が止水のほか、波板１２のずれのない強固な固定に資する。
【００３５】
ナット１５が螺合するねじ部２６は、ナット１５の高さより長いので、波板１２の固定は適宜の位置で行える。つまり当接部２４とナット１５の間の距離は一定でなくとも固定が行える。このため、波板１２の高さに違いやばらつきがあっても、また波板１２の重なり部分を固定する場合であっても、所望の強固な固定が確実に行える。
【００３６】
図１１に示したように波板１２の裏面に裏張り材１２ｂがある場合でも、同一サイズの外装板固定具１１が裏張り材１２ｂによる高さの違いを吸収して、所望の固定状態が得られる。
【００３７】
裏張り材１２ｂの有無よりも波板１２の固定位置の高さが極端に高いような場合、たとえば図１２に示したように天井板１８を下地材１３の上に配設する場合には、ねじ部２６の長さが長い外装板固定具１１を使用する。ねじ部２６が長い外装板固定具１１ではなく、大径部２９または板部材巻き付け部３０の長さを長くしてもよいが、前述のようにねじ部２６の長さを長くする方が、製造が容易である。
【００３８】
外装板固定具１１の上端には回転のための回転入力部２７が備えられるが、取り付け部２３よりも小径に形成されているので別部材１４の取り付けは容易であり、貫通穴１４ａの大きさを小さくできるので強固な固定も可能である。
【００３９】
外装板固定具１１は棒状部材１１ａと板部材１１ｂの組み合わせで形成されているので、加工が容易で安価に製造できる。しかも棒状部材１１ａには受け部３１が形成され、受け部３１が板部材１１ｂの上端縁３９を受け止めて上へのずれを防止するので、強度は高い。
【００４０】
この発明の構成と前述の一形態の構成との対応において、
この発明の外装板は前述の波板に対応するも、  
この発明は前述の構成のみに限定されるものではなく、その他の構成を採用することができる。
【００４１】
たとえば、外装板は折板等の他の板材や、壁のためのサイディングなどであってよい。別部材には、外装板の用途応じて必要なものが適宜選択される。
【００４２】
大径部を形成するための板部材を受ける受け部は、上下の小径部を設けずに外周に張りだして形成してもよく、上側の小径部を省略してもよい。
【符号の説明】
【００４３】
１１…外装板固定具
１１ａ…棒状部材
１１ｂ…板部材
１２…波板
１３…下地材
１４…別部材
１５…ナット
２１…ドリルねじ部
２２…固定ねじ部
２３…取り付け部
２４…当接部
２５…穿孔刃
２６…ねじ部
２７…回転入力部
３１…受け部
３９…上端縁
【要約】
【課題】屋根や壁を形成して上に別部材を取り付ける外装板固定具において、外装板の寸法の違いやばらつきなどに柔軟に対応して強固な固定ができるようにする。
【解決手段】波板１２と下地材１３に上から順に切り込むドリルねじ部２１と、下地材１３に螺合する固定ねじ部２２を先端部に備え、上端部には屋根上構造物などの別部材１４を取り付けるための取り付け部２３を備えた外装板固定具１１において、固定ねじ部２２の上側隣接位置に、固定ねじ部２２より外周に突出して下地材１３に上から当接する当接部２４を備える。当接部２４より上方には、波板１２を上から押さえつけるナット１５が螺合するねじ部２６を、ねじ部２６の上には取り付け部２３を、取り付け部２３の上には取り付け部２３より小径の回転入力部２７を備える。ねじ部２６はナット１５の高さよりも長くし、取り付け部２３はねじ部２６と同径の棒状に形成してねじ部２６と一連の雄ねじを備える。
【選択図】図２【図１】
0005898804.tif 000002
【図２】
0005898804.tif 000003
【図３】
0005898804.tif 000004
【図４】
0005898804.tif 000005
【図５】
0005898804.tif 000006
【図６】
0005898804.tif 000007
【図７】
0005898804.tif 000008
【図８】
0005898804.tif 000009
【図９】
0005898804.tif 000010
【図１０】
0005898804.tif 000011
【図１１】
0005898804.tif 000012
【図１２】
0005898804.tif 000013